(57)【特許請求の範囲】
【請求項１】
サーバ装置とネットワークを介して接続される多機能システムであって、
紙文書をコピーして文書を取得するコピー機能が選択された時に作動し、前記コピー機能にて取得される文書と関連付けるためのマルチメディア注釈を生成する手段と、
前記マルチメディア注釈を生成する手段で生成されたマルチメディア注釈と前記コピー機能にて取得された文書とを関連付けてマルチメディア文書を生成する手段と、
前記マルチメディア文書を生成する手段で生成されたマルチメディア文書の受取人の指定を受け付ける手段と、
前記受け付ける手段にて受取人の指定を受け付けた後に、前記マルチメディア文書を前記サーバ装置に記憶する手段と、
前記受け付ける手段にて指定された受取人に、前記サーバ装置における前記マルチメディア文書の保存先に関する情報のみを送信する手段と、
を備えることを特徴とする多機能システム。
【請求項２】
前記サーバ装置に記憶されるマルチメディア文書は、前記指定された受取人に属するディジタル鍵で暗号化されることを特徴とする請求項１に記載の多機能システム。
【請求項３】
前記送信する手段は、前記指定された受取人に電子メールを用いて送信することを特徴とする請求項１または２に記載の多機能システム。
【請求項４】
前記多機能システムはさらに、マルチメディア文書を印刷する手段を備え、
前記マルチメディア注釈は、印刷されるマルチメディア文書上に、バーコードで配置されることを特徴とする請求項１乃至３のいずれか１項に記載の多機能システム。
【請求項５】
前記マルチメディア注釈は、前記マルチメディア文書を前記印刷手段で印刷する際に生成されることを特徴とする請求項４に記載の多機能システム。
【請求項６】
前記多機能システムはさらに、マルチメディア注釈の指定を受け付ける手段を備え、
前記マルチメディア文書を生成する手段は、前記指定を受け付けたマルチメディア注釈を前記文書に関連付けて、マルチメディア文書を生成することを特徴とする請求項１乃至５のいずれか１項に記載の多機能システム。
【請求項７】
前記マルチメディア文書の保存先に関する情報は、ユニフォーム・リソース・ロケータを用いて表現されることを特徴とする請求項１乃至５のいずれか１項に記載の多機能システム。
【請求項８】
サーバ装置とネットワークを介して接続される多機能システムにおける文書への注釈付与方法であって、
マルチメディア注釈を生成する手段が、紙文書をコピーして文書を取得するコピー機能が選択された時に作動し、前記コピー機能にて取得される文書と関連付けるためのマルチメディア注釈を生成する段階と、
マルチメディア文書を生成する手段が、前記マルチメディア注釈を生成する手段で生成されたマルチメディア注釈と前記コピー機能にて取得された文書とを関連付けてマルチメディア文書を生成する段階と、
受け付ける手段が、前記マルチメディア文書を生成する手段で生成されたマルチメディア文書の受取人の指定を受け付ける段階と、
記憶する手段が、前記受け付ける手段にて受取人の指定を受け付けた後に、前記マルチメディア文書を前記サーバ装置に記憶する段階と、
送信する手段が、前記受け付ける手段にて指定された受取人に、前記サーバ装置における前記マルチメディア文書の保存先に関する情報のみを送信する段階と、
を備えることを特徴とする方法。
【請求項９】
暗号化する手段が、前記サーバ装置に記憶されるマルチメディア文書を、前記指定された受取人に属するディジタル鍵で暗号化する段階を備えることを特徴とする請求項８に記載の方法。
【請求項１０】
前記送信する段階は、前記指定された受取人に電子メールを用いて送信する段階を含むことを特徴とする請求項８または９に記載の方法。
【請求項１１】
印刷する手段が、マルチメディア文書を印刷する段階をさらに備え、
前記マルチメディア注釈は、印刷されるマルチメディア文書上に、バーコードで配置されることを特徴とする請求項８乃至１０のいずれか１項に記載の方法。
【請求項１２】
前記マルチメディア注釈は、前記マルチメディア文書を前記印刷段階で印刷する際に生成されることを特徴とする請求項１１に記載の方法。
【請求項１３】
マルチメディア注釈の指定を受け付ける手段が、マルチメディア注釈の指定を受け付ける段階をさらに備え、
前記マルチメディア文書を生成する段階は、前記指定を受け付けたマルチメディア注釈を前記文書に関連付けて、マルチメディア文書を生成することを特徴とする請求項８乃至１２のいずれか１項に記載の方法。
【請求項１４】
前記マルチメディア文書の保存先に関する情報は、ユニフォーム・リソース・ロケータを用いて表現されることを特徴とする請求項８乃至１２のいずれか１項に記載の方法。
【請求項１５】
コンピュータに請求項８乃至１４いずれか１項に記載の方法を実行させるコンピュータプログラムを記憶した、コンピュータ読み取り可能記録媒体。
【発明の詳細な説明】
【０００１】
【発明の属する技術分野】
本発明は、マルチメディアの作成とプレゼンテーションの分野に係り、特に、マルチメディア注釈を書類若しくは電子文書に付与する方法及びシステムに関する。
【０００２】
【従来の技術】
マルチメディアは、異なる種類の情報蓄積媒体及び／又は通信媒体、たとえば、サウンド、ビデオ、テキスト、音楽、動画、図表、地図等を、多彩な対話的なプレゼンテーション、ビジネスアプリケーション、ゲーム等に統合する能力を説明するため使用される用語である。情報蓄積媒体の例として、書物、写真、レコード、オーディオテープ、ビデオテープ、マイクロフィルム、磁気ディスク及び光ディスクがある。
【０００３】
オーディオクリップ及びビデオクリップは、膨大な記憶空間を必要とし、その理由から、最近になるまで、プログラムは、全部ではないが、殆どの初歩的な動画及びサウンドを使用することができなかった。コンパクトディスク・リードオンリーメモリ(CD-ROM)のような最新の大容量記憶装置はこれらの状況を一変した。数種類の媒体から同時にクリップを使用するとき、ユーザの視覚、聴覚及び触覚は、驚異的に現実的な体験に融合される。
【０００４】
高速コンピュータと、マルチメディアプログラムの急増は、情報獲得の方法を間違いなく変化させる。大容量のデータの中から小さな一片の情報を瞬時に獲得するコンピュータの能力は、常にコンピュータの最も重要な用途の一つである。ビデオクリップ及びオーディオクリップは、一つのCD-ROM上にテキストと一緒に記憶され得るので、課題を探求する全く新しい方法が実現可能である。ハイパーリンクを使用することにより、素材が使用者に提示され得るので、使用者は、典型的に人間的な方法である連想によってその素材を精査することができる。
【０００５】
【発明が解決しようとする課題】
現在、マルチメディアを実現し得る技術は存在するが、従来の実現方法は、マルチメディアを伝統的な事務コミュニケーション手段である書類と組み合わせることを考慮していない。現在のオフィス内の殆どのコミュニケーション手段は、メモ及びノートのような伝統的な書類で作成されているので、マルチメディアを書類に付加し、オフィス使用者が音及び感情を書類で伝達することができれば非常に有利である。
【０００６】
したがって、本発明は、マルチメディア注釈を書類に付与する方法及びシステムの提供を目的とする。
【０００７】
【課題を解決するための手段】
本発明の一実施例によれば、文書にマルチメディア注釈を付与する多機能システムが提供される。該多機能システムは、文書に対するマルチメディア注釈を生成する手段と、前記マルチメディア注釈と前記文書とを関連付けてマルチメディア文書を生成する手段と、前記マルチメディア文書の受取人の指定を受け付ける手段と、前記受取人の指定を受け付けた後に、前記マルチメディア文書を所定の記憶装置に記憶する手段と、前記指定された受取人に、前記マルチメディア文書の保存先に関する情報のみを送信する手段と、を備える。
【０００８】
【発明の実施の形態】
以下、添付図面を参照して、本発明の実施例を説明する。添付図面を通じて、同じ参照番号は同じ構成要素を示す。添付図面に記載された本発明の実施例は、例示に過ぎず、本発明の範囲を制限することを意図しない。
【０００９】
マルチメディア注釈を書類に付与する方法及び装置について説明する。以下の説明中、説明の目的のため、本発明を理解する上で必要な特定の用語が定義される。しかし、これらの特定の詳細は、本発明を実施するために不可欠な事項でないことが当業者には容易にわかる。たとえば、電子メールによるマルチメディア文書の送信は、インターネットに関して記載されている。しかし、同様の技術が、他のタイプのネットワークに容易に適用される。
【００１０】
以下の詳細な説明の一部分は、コンピュータメモリ内のデータビット上の操作のアルゴリズム及び記号的表現について言及する。これらのアルゴリズム的な記述及び表現は、データ処理技術の分野の当業者が、自分の業績の実体を他の当業者に最も効率的に伝えるため使用する表記である。アルゴリズムは、以下の説明において、並びに、一般的に、所望の結果に先行する首尾一貫したステップの系列である。ステップは、物理的な操作又は物理量を必要とする。必須的ではないが、通例的に、これらの量は、蓄積、転送、合成、比較及びその他の操作を施すことができる電気信号若しくは磁気信号の形をとる。これらの信号は、原則として一般的な用法の点で、ビット、値、要素、記号（シンボル）、文字、項、数字等として参照するのが便利である。
【００１１】
しかし、上記の用語及び類似した用語の全ては、適切な物理量と関連付けられ、単にこれらの量に与えられた都合の良いラベルに過ぎないことに注意する必要がある。特に断らない限り、以下の説明からわかるように、本発明の全体を通じて、処理、コンピュータ処理、計算、判定、表示等の用語を利用する説明は、コンピュータシステム若しくは類似した電子コンピュータ処理装置の行動及びプロセスを示し、この行動及びプロセスは、コンピュータシステムのレジスタ及びメモリ内で物理量（電子的量）として表現されたデータを操作し、コンピュータシステムのレジスタ若しくはメモリ内、或いは、他の情報記憶装置、伝送装置、若しくは、表示装置で同じように物理量として表現された他のデータに変換する。
【００１２】
本発明は以下に説明する操作を実行する装置に関係する。この装置は、要求された目的のため特別に構成され、或いは、コンピュータに蓄積されたコンピュータプログラムによって選択的に作動若しくは再構成された汎用コンピュータを含む。このようなコンピュータプログラムは、たとえば、フロッピーディスク、光ディスク、ＣＤ−ＲＯＭ、光磁気ディスク、読み出し専用メモリ（ＲＯＭ）、ランダムアクセスメモリ（ＲＡＭ）、ＥＰＲＯＭ、ＥＥＰＲＯＭ、光磁気カードのような任意のディスク、或いは、電子命令を記憶するため適した任意の媒体のように、コンピュータシステムバスに接続され、コンピュータが読み取り可能な記録媒体に格納されるが、これらの媒体に制限されるものではない。
【００１３】
以下に説明されるアルゴリズム及びディスプレイは、本来的に特定のコンピュータ若しくはその他の装置と関係しない。多数の汎用機械が本発明の教示に従うプログラムと共に使用され、或いは、要求された方法のステップを実行するため、非常に特殊化された装置を構築する方が好都合であることが判明する。これらの多数の機械に対し要求される構造は、以下の説明から明らかにされる。また、本発明は、特定のプログラミング言語を用いて説明されているが、後述の通り、本発明の教示を実現するために多数のプログラミング言語を使用してもよいことが認められる。
【００１４】
［概要］
一実施例において、マルチメディア文書を作成するため、マルチメディア注釈を作成し、書類又は電子文書に付与する方法及び装置が開示される。
【００１５】
図１は、マルチメディア内容（コンテンツ）を文書に付与する処理の一実施例のフローチャートである。図１を参照するに、ステップ１０５において、ユーザは文書を作成する。一実施例において、文書は書類（たとえば、手書き文書、タイプライタを用いて作成された文書、印刷コピー物など）である。ユーザは、ステップ１１０で、文書に付与するマルチメディア注釈を生成する。一実施例において、マルチメディア注釈は、オーディオサウンド、ビデオクリップ、オーディオサウンドとビデオクリップの組み合わせ等である。マルチメディア注釈は、文書が作成されるときに同時に生成しても、異なるときに生成してもよい。ステップ１１５において、注釈は、マルチメディア文書を作成するため、文書に関連付けられる。一実施例において、注釈は文書の領域に配置される。注釈は、たとえば、オーディオメッセージを含むバーコード、又は、ビデオクリップへのリンクを指定するURLのような別の形式でもよい。
【００１６】
一実施例において、ユーザはマルチメディア文書を受信するため受取人を指定する。受取人は、たとえば、インターネットメールアドレスのような受取人のアドレスを入力するユーザによって指定される。ステップ１２０において、電子メールメッセージが生成され、受取人に送信される。或いは、ユーザは、文書の別の時点での受取人を指定するよう選択してもよい。ステップ１２５において、文書及び注釈は記憶領域に格納される。文書及び注釈は一括して保存しても、別個の記憶領域に保存してもよい。
【００１７】
図２は、多機能システムの一実施例の説明図である。一実施例において、マルチメディア機能システム２０２は、表示コンソール２０４及びキーパッド２０５を具備した写真コピー機でもよい。多機能システム２０２は、様々なシステムから生成された入力を受け取るため、マイクロホン２１０、ビデオカメラ２１５、及び、ディスクドライブ２２０を含む。さらに、一実施例の場合、多機能システム２０２は、オーディオ及び／又はビデオマルチメディア入力をディジタル化するハードウエアを含む。オーディオサウンド及びビデオクリップのフォーマットには、たとえば、MP3オーディオ（MPEGオーディオレイヤ３）及びMPEGビデオ（動画像専門家グループからのディジタルビデオ圧縮標準）が含まれる。
【００１８】
一実施例において、ユーザは、マルチメディア注釈を生成し、同時に、多機能システム２０２を使用して書類をコピーする。書類をコピーしている間に、多機能システム２０２は、書類の画像を捕捉し、その画像を自動的にサーバー装置２２５に保存する。他の実施例の場合、ユーザは、文書を電子形式で生成し、多機能システム２０２でその電子形式の文書を使用する。
【００１９】
サーバー装置２２５は、たとえば、ローカル・エリア・ネットワークのようなネットワークを介して多機能システム２０２へ接続される。サーバー装置２２５は、ユーザ、又は、ユーザがマルチメディア文書を送信する相手方がマルチメディア文書を取得できるように、マルチメディア文書を蓄積するため使用される。一実施例において、コンソール２０４は、マルチメディア文書の受取人を指定するため使用される。システムの自動保存機能によって、ユーザは、ユーザ側での判断を要することなく、文書画像を保存することができる。
【００２０】
一実施例において、マイクロホン２１０は、ユーザが多機能システム２０２上でコピー機能を選択したとき、自動的に作動される。ユーザは、多機能システム２０２上のマイクロホン２１０へ発話することにより、マルチメディア注釈を生成する。
【００２１】
他の実施例において、ユーザは、多機能システム２０２を使用する前に、マルチメディア注釈を準備する。たとえば、ユーザは、ワークステーション上でマルチメディア注釈を生成し、フロッピーディスクのような携帯型記憶装置にそのマルチメディア注釈を記録し、その携帯型記憶装置を多機能システム２０２へ物理的に運搬する。携帯型記憶装置をコピー機上のドライブ２２０に挿入したとき、ユーザは、コンソール２０４上のインタフェースで通知される。一実施例の場合、インタフェースは、携帯型記憶装置に蓄積された全ての利用可能な注釈を一覧し、ユーザがそれを再検討して選択できるようにする。ユーザは、多機能システム２０２に接続されたユーザが制御可能な装置、たとえば、マウスのような装置を介してインタフェースと対話する。付加的に、キーボード２０５が設けられ、ユーザは、これにより、たとえば、文書の受取人の名前を指定し、或いは、変更する編集機能を実行することが可能である。多機能システム２０２のインタフェースは、ユーザが選択されたマルチメディア注釈を文書に関連付けるメカニズムを提供する。たとえば、ドラッグ・アンド・ドロップ機能は、コピーされる文書に付与されるべきマルチメディア注釈を指定する。
【００２２】
一実施例において、ユーザは、文書の受取人に関する情報、たとえば、名前、電子メールアドレス、電話番号、ファックス番号などの情報を指定するため、コンソール２０４と共にキーボード２０５を使用する。
【００２３】
サーバー装置２２５は、認証後に限りアクセスを許可するよう構成してもよい。たとえば、有効なユーザ識別情報及び／又はパスワードを保有する受取人だけが、サーバー装置２２５に蓄積された対応したマルチメディア文書へアクセスできる。一実施例において、更なるセキュリティを実現するため、マルチメディア文書は暗号化される。たとえば、多機能システム２０２は、文書を暗号化するため受取人に属するディジタル鍵を利用して文書を暗号化する。かくして、受取人ディジタル鍵を所有する人だけがコードを復号化し、元の文書を復元することができる。
【００２４】
一実施例において、多機能システム２０２によって生成されたマルチメディア文書は、たとえば、紙、ＯＨＰ用紙などの物理的な文書でもよい。物理的な文書は、自動的に蓄積された文書画像に付加される。たとえば、多機能システム２０２のコピー機能によって生成された書類は、マルチメディア注釈が蓄積されているネットワークアドレスを表すユニフォーム・リソース・ロケータ(URL)の平文表現を含む。各人は、この書類形式のマルチメディア文書を受取人に配布することができる。また、マルチメディア文書の保存先のURLを電子メールで受取人に通知してもよい。他の実施例の場合、マルチメディア文書が保存されている場所のURLは、多機能システム２０２によって生成されたバーコードによって表し、文書に印刷してもよい。
【００２５】
図３は、マルチメディア注釈がバーコードによって表現された文書の一実施例を示す図である。本例の場合、文書３０５は書類でもよく、完全なマルチメディア注釈は、文書の面に印刷されたバーコード３１０を用いて表現される。このマルチメディア注釈は、バーコード３１０を復号化することによって獲得される。他の実施例の場合に、マルチメディア注釈は、1994年8月9日にGormishへ発行された米国特許第5,337,362号に記載されるようなディジタルリンクを用いて電子メール送信される。
【００２６】
図４の（Ａ）は、マルチメディア文書へのリンクを表現するURLを含む電子メールメッセージの一実施例の説明図である。マルチメディア文書の受取人は、マルチメディア文書のためのURL４１０を含む電子メールメッセージ４０５によって通知される。電子メールメッセージは、多機能システムが作動されたとき（たとえば、コピー機能が選択されたとき）、ユーザによって生成されても構わない。受取人は、URL４１０を選択することにより、マルチメディア文書（文書と注釈）へアクセスすることができる。
【００２７】
図４の（Ｂ）は、マルチメディア文書の一実施例の説明図である。一実施例において、URLを選択したとき、マルチメディア文書４１２の画像が受信者へ提示され、同時に、マルチメディアプレーヤが呼び出され、受取人のワークステーションで動く。マルチメディアプレーヤは、文書の一部であるマルチメディア注釈を再生する。或いは、マルチメディアプレーヤは、ユーザがマルチメディア注釈インジケータ４１５を選択したときに呼び出される。
【００２８】
マルチメディアプレーヤは、たとえば、サウンド用のRealAudio及びビデオ用のRealVideoをサポートするRealNetworks製のRealPlayerでもよい。マルチメディア注釈は、オーディオ及びビデオ用の他のフォーマットで生成してもよく、それらのフォーマット用の適切なプラグインが組み込まれているマルチメディアプレーヤによってサポートされる。RealNetworksからのストリーミングオーディオ及びストリーミングビデオによって、受取人は、マルチメディア注釈が保存場所から転送されているときに同時に、オーディオサウンドを聴き、ビデオクリップを観ることができる。
【００２９】
他の実施例において、受取人は、多目的インターネットメール拡張仕様、すなわち、MIME(Multi-purpose Internet Mail Extensions)のアタッチメント（添付ファイル）として符号化された完全なマルチメディア注釈を含む電子メールメッセージを受信する。MIMEアタッチメントは、受取人のシステムにダウンロードされ、マルチメディア文書を閲覧できるようになる。
【００３０】
一実施例において、多機能システムは、マルチメディア文書が受取人へ送信されたとき、電話によって受取人に連絡することができる。多機能システムは、ディジタル化音声を利用し、サーバー装置上のマルチメディアメッセージキューに受取人が取り出せる文書が準備されている旨を受取人へ通知する。受取人は、キューを調べて、適当なマルチメディア文書を取り出すことができる。或いは、受取人に通知がなされない場合もある。この場合、システムは、マルチメディア文書を、受取人が後で調べることができるように受取人のメッセージキューへ収容する。受取人は、多様な形態で文書を取得する。ユーザは、サーバー装置上の自分のメッセージキューを定期的に調べ、音声メールシステムの動作と全く同様の方法で、最新のメッセージをダウンロードする。
【００３１】
一実施例において、サーバー装置は、ユーザが、保管されたマルチメディア文書をその内容に基づいて検索することができる検索エンジンを具備する。この場合、マルチメディア文書は、書類の画像から作成される。マルチメディア文書は、内容ベース検索を支援するため、光学式文字読取装置(OCR)処理されてもよい。他の実施例では、マルチメディア注釈がオーディオクリップであるときに、代表的なオーディオトラックが、たとえば、New York, Armonk所在のIBM製のVia Voiceのような音声認識ソフトウエアを用いてシステム上のユーザ毎に生成される。マルチメディア文書は、オーディオメッセージとして記録されたユーザの声に基づいて検索される。ユーザの声は、たとえば、Waver Makers Research Inc.製のWaveMakersのような話者若しくは音声識別ソフトウエアを用いて認識される。他の実施例では、マルチメディア注釈がビデオクリップであるときに、ユーザの画像を含むビデオトラックが認識技術に与えられる入力として使用される。上述の種々の実施例は、受取人がテキスト的な内容並びにユーザの身元によって、或いは、ユーザの声若しくはユーザの画像を用いて、マルチメディア注釈を検索できるようにする。他の実施例の場合、マルチメディア文書は、たとえば、メッセージの記録、蓄積及び伝達の日付を用いて検索される。
【００３２】
他の実施例の場合、図２の多機能システムは、ファクシミリ機として動作可能であり、ファックス文書の画像を捕捉し、同時にファックスを送信する。この場合、受信者のファクシミリ機で印刷された文書は、印刷された平文のURL、URLのバーコード表現、或いは、メッセージの全内容を表現するバーコードを含む。同様に、図２の多機能システムは、スキャナとしても動作可能である。上述の通り、多機能システムのコンソールは、走査された文書の受取人を指定するため使用され得る。更に、コンソールは、受取人を指定するための手段、並びに、サーバー装置へアクセスする手段として使用され得る。更に別の実施例では、図２の多機能システムは、プリンタとして動作可能であり、ユーザのワークステーションからの印刷要求を受け付ける。この場合、文書が印刷されるワークステーションは、ユーザがマルチメディア注釈を生成するため必要なマルチメディア入力装置を具備する。文書がユーザのワークステーションから印刷されるべきとき、ユーザはマルチメディア注釈を文書に付与する。平文URL若しくはURLを表現するバーコード、又は、完全なマルチメディア注釈は、既に説明した通りの方法でユーザによって付与される。
【００３３】
ここで開示された方法及び装置を用いることによって、個人が書類を通じて感情をやり取りする手段が実現される。たとえば、図５には、非常に感情的メッセージ５０５を文書に付与するユーザが示されている。オーディオサウンドは、ユーザの気持ちを充分明瞭に受取人へ伝える。
【００３４】
図６は、ここで開示されている処理を実行するため使用されるコンピュータシステムの一実施例を示す図である。図６に示された種々のコンポーネントは、一例として挙げられている。図６のコンピュータの一部のコンポーネントは、本発明の特定の実現形態のアドレッシングシステムから取り除いても構わない。図６に示されたコンピュータは、汎用コンピュータを含むどのようなタイプのコンピュータでもよい。
【００３５】
図６には、多数のコンポーネントが接続されたシステムバス６００が示されている。プロセッサ６０２は、コンピュータによって要求される処理タスクを実行する。プロセッサ６０２は、上述の処理を実行するため必要なステップを実現することができる任意のタイプの処理装置である。入出力(I/O)装置６０３は、バス６００に接続され、コンピュータに接続された他の装置と通信するメカニズムを与える。たとえば、ユーザは、マルチメディア文書が送信されるべき受取人の名前及び電子メールアドレスを指定するため、入出力装置６０３を使用することができる。グラフィックス・ディスプレイアダプタ６０４は、プロセッサ６０２によって生成された表示データを受信し、表示データを表示バッファに格納するためバスに接続される。リードオンリーメモリ(ROM)６０６及びランダムアクセスメモリ(RAM)６０８は、バス６００に接続され、コンピュータによって使用される多数のデータ及び情報、たとえば、ユーザがコンピュータと対話することを可能にさせるインタフェースコードのようなデータ及び情報に対する記憶メカニズムを提供する。本例では、ROM６０６及びRAM６０８はバス６００に接続されているが、他の実施例の場合、ROM６０６及びRAM６０８は、プロセッサ６０２に直接的に連結されてもよく、或いは、専用メモリバス（図示されない）に接続されてもよい。
【００３６】
ビデオコンソール６１０は、グラフィックス・ディスプレイアダプタ６０５に接
続され、表示バッファに格納された種々の情報及びデータを、コンピュータのユーザへ表示する。表示データには、携帯型記憶装置に蓄積された異種のマルチメディア注釈が含まれる。ディスクドライブ６１２は、バス６００に接続され、ユーザが予め生成されたマルチメディア注釈をユーザのワークステーションへロードする機能を実現する。
【００３７】
図７には、多数の命令セット、コード系列、コンフィギュレーション情報、及び、コンピュータ若しくはその他の処理装置によって使用される他のデータを格納したコンピュータ読み取り可能な記録媒体７００の一実施例の説明図である。図７に示された実施例は、上述のマルチメディア注釈付与方法と共に使用するため好適である。媒体７００上に記録された多数の情報は、種々のデータ処理操作を実行するため使用される。コンピュータ読み取り可能な記録媒体７００は、プロセッサ読み取り可能な記録媒体とも呼ばれる。コンピュータ読み取り可能な記録媒体７００は、磁気的記憶媒体、光学的記憶媒体、若しくは、電気的記憶媒体のいずれのタイプでもよく、ディスケット、磁気テープ、CD-ROM、メモリ装置、若しくは、その他の記憶媒体が含まれる。
【００３８】
コンピュータ読み取り可能な記録媒体７００は、コンピュータシステム内の多数の装置若しくはコンポーネント間の情報の流れを制御するインタフェースコード７０２を格納する。インタフェースコード７０２は、装置内（たとえば、プロセッサとメモリ装置の間）、又は、入出力ポートと記憶装置の間で情報の転送を制御する。さらに、インタフェースコード７０２は、装置間での情報の転送を制御する。
【００３９】
コンピュータ読み取り可能な記録媒体７００は、オーディオメッセージ及び／又はビデオメッセージを生成するため使用されるマルチメディア注釈生成アプリケーション７０４を含む。コンピュータ読み取り可能な記録媒体７００に記録されたその他のコードには、マルチメディア文書の存在を受取人へ通知するための電子メールメッセージ生成コード７０６と、オーディオメッセージのバーコード表現を生成するためのバーコード生成コード７０８と、書類の画像を生成する画像生成コード７１２とが含まれる。
【００４０】
上記の説明並びに図面から、上述の具体的な実施例は、本発明を例示的に説明するためのものであり、本発明の範囲を制限することを意図するものではないことが当業者に理解されるであろう。また、当業者は、本発明が本発明の精神或いは重要な特徴を損なうことなく、他の特定の形態で実施されることを認めるであろう。
【図面の簡単な説明】
【図１】注釈付与処理の一実施例のフローチャートである。
【図２】マルチメディア情報を用いて文書に注釈を付ける多機能システムの一実施例を示す図である。
【図３】バーコードで表現されたマルチメディア注釈を含む文書の一例の説明図である。
【図４】マルチメディア内容へのリンクを与える電子メールメッセージとユニフォーム・リソース・ロケータ(URL)の一例の説明図である。
【図５】感情的内容を含むマルチメディア注釈を文書に付与するシステムの一実施例の説明図である。
【図６】コンピュータシステムの一実施例の構成図である。
【図７】多数の命令セット、コード系列、コンフィギュレーション情報、及び、コンピュータ若しくはその他の処理装置によって使用されるその他のデータを格納したコンピュータ読み取り可能媒体の一実施例の説明図である。
【符号の説明】
２０２    マルチメディア機能システム
２０４    表示コンソール
２０５    キーパッド
２１０    マイクロホン
２１５    ビデオカメラ
２２０    ディスクドライブ
２２５    サーバー装置
６００    システムバス
６０２    プロセッサ
６０３    入出力装置
６０４    ディスプレイアダプタ
６０６    リードオンリーメモリ
６０８    ランダムアクセスメモリ
６１０    ビデオコンソール
６１２    ディスクドライブ
７００    コンピュータ読み取り可能記録媒体
７０２    インタフェースプログラム
７０４    マルチメディア注釈生成アプリケーション
７０６    電子メール生成コード
７０８    バーコード生成コード
７１２    画像生成コード
【図１】
0003955726.tif 000002
【図２】
0003955726.tif 000003
【図３】
0003955726.tif 000004
【図４】
0003955726.tif 000005
【図５】
0003955726.tif 000006
【図６】
0003955726.tif 000007
【図７】
0003955726.tif 000008